(57)【要約】【課題】ファインダ視野内で良好なスーパーインポーズ表示を得ることのできる撮像装置を提供する。【解決手段】本発明の撮像装置１０は、撮影光学系１２から入射した光によって被写体像が形成される焦点板６１と、焦点板６１上に形成された被写体像を反転させるペンタ部材６２と、ペンタ部材の射出面６２Ｂ側から射出した光をファインダ６５に導く接眼光学系６３と、射出面と接眼光学系６３との間に配置され、ペンタ部材に投光することにより、投光された光をペンタ部材内で反射させ、その反射光を焦点板６１に照射し、その照射光の反射光をペンタ部材内で再度反射させ、その反射光を射出面側から射出させることにより、複数の焦点検出領域に対応するファインダ視野内での位置をスーパーインポーズ表示させる投光手段６４と、を備え、投光手段からペンタ部材に投光された光は、ペンタ部材が有する複数の面うちの一面６２Ｕにおいて１回反射した後、焦点板に入射すること、を特徴とする。【選択図】図１
2012141339.tif 000002
【特許請求の範囲】
【請求項１】
撮影光学系から入射した光によって被写体像が形成される焦点板と、
前記焦点板上に形成された被写体像を反転させるペンタ部材と、
前記ペンタ部材の射出面側から射出した光をファインダに導く接眼光学系と、
前記射出面と前記接眼光学系との間に配置され、前記ペンタ部材に投光することにより、該投光された光を前記ペンタ部材内で反射させ、その反射光を前記焦点板に照射し、その照射光の反射光を前記ペンタ部材内で再度反射させ、その反射光を前記射出面側から射出させることにより、複数の焦点検出領域に対応するファインダ視野内での位置をスーパーインポーズ表示させる投光手段と、を備え、
前記投光手段から前記ペンタ部材に投光された光は、前記ペンタ部材が有する複数の面うちの一面において１回反射した後、前記焦点板に入射すること、
を特徴とする撮像装置。
【請求項２】
撮影光学系から入射した光によって被写体像が形成される焦点板と、
前記焦点板上に形成された被写体像を反転させるペンタ部材と、
前記ペンタ部材の射出面側から射出した光をファインダに導く接眼光学系と、
前記射出面と前記接眼光学系との間に配置され、前記ペンタ部材に投光することにより、該投光された光を前記ペンタ部材内で反射させ、その反射光を前記焦点板に照射し、その照射光の反射光を前記ペンタ部材内で再度反射させ、その反射光を前記射出面側から射出させることにより、複数の焦点検出領域に対応するファインダ視野内での位置をスーパーインポーズ表示させる投光手段と、を備え、
前記ペンタ部材は、前記焦点板から光が入射する入射部と、
前記入射部から入射した光が反射される第１反射面と、
該第１反射面によって反射された光が反射される第２反射面と、
前記第１反射面と前記第２反射面とに隣接し且つ前記入射部及び前記射出面と隣接しない一面と、を有し、
前記投光手段から投光された光は、前記射出面を通って前記一面に反射した後、前記入射部を通って前記焦点板に入射すること、
を特徴とする撮像装置。
【請求項３】
請求項１又は２に記載の撮像装置であって、
前記ペンタ部材の前記一面は、鏡面部と、非鏡面部を有すること、
を特徴とする撮像装置。
【請求項４】
請求項３に記載の撮像装置であって、
前記一面は、前記投光手段から入射した光が照射される領域に形成された鏡面部と、該鏡面部の周囲に形成された非鏡面部と、を有すること、
を特徴とする撮像装置。
【請求項５】
請求項１〜４のいずれか１項に記載の撮像装置であって、
前記投光手段は複数設けられ、前記接眼光学系の光軸を挟んだ両側に配置されていること、
を特徴とする撮像装置。
【発明の詳細な説明】
【技術分野】
【０００１】
本発明は、焦点検出領域に対応するファインダ視野内での位置をスーパーインポーズ表示可能な撮像装置に関するものである。
【背景技術】
【０００２】
撮像装置は、撮影光学系から入射した光によって被写体像が形成される焦点板と、焦点板上に形成された被写体像を反転させるペンタ部材と、ペンタ部材の射出面から射出した光をファインダに導く接眼光学系とを備える。このような撮像装置において、複数の焦点検出領域に対応するファインダ視野内での位置をスーパーインポーズ表示させるための投光手段を備えるものがある（例えば、特許文献１参照）。
【先行技術文献】
【特許文献】
【０００３】
【特許文献１】特開２００８−１０２４５３号公報
【発明の概要】
【発明が解決しようとする課題】
【０００４】
しかし、従来技術の撮像装置は、焦点板に対して略垂直に光が入射するため、焦点板の上面と下面とで反射する光が重なる。この際、光路の微小なずれが生じる場合があり、それぞれの光路を通った光が目に入ることにより、２重の像になることがある。
【０００５】
本発明の課題は、ファインダ視野内で良好なスーパーインポーズ表示を得ることのできる撮像装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影光学系（１２）から入射した光によって被写体像が形成される焦点板（６１）と、前記焦点板（６１）上に形成された被写体像を反転させるペンタ部材（６２）と、前記ペンタ部材（６２）の射出面（６２Ｂ）側から射出した光をファインダ（６５）に導く接眼光学系（６３）と、前記射出面（６２Ｂ）と前記接眼光学系（６３）との間に配置され、前記ペンタ部材（６２）に投光することにより、該投光された光を前記ペンタ部材（６２）内で反射させ、その反射光を前記焦点板（６１）に照射し、その照射光の反射光を前記ペンタ部材（６２）内で再度反射させ、その反射光を前記射出面（６２Ｂ）側から射出させることにより、複数の焦点検出領域に対応するファインダ（６５）視野内での位置をスーパーインポーズ表示させる投光手段（６４）と、を備え、前記投光手段（６４）から前記ペンタ部材（６２）に投光された光は、前記ペンタ部材（６２）が有する複数の面うちの一面（６２Ｕ）において１回反射した後、前記焦点板（６１）に入射すること、を特徴とする撮像装置（１０）である。
請求項２に記載の発明は、撮影光学系（１２）から入射した光によって被写体像が形成される焦点板（６１）と、前記焦点板（６１）上に形成された被写体像を反転させるペンタ部材（６２）と、前記ペンタ部材（６２）の射出面（６２Ｂ）側から射出した光をファインダ（６５）に導く接眼光学系（６３）と、前記射出面（６２Ｂ）と前記接眼光学系（６３）との間に配置され、前記ペンタ部材（６２）に投光することにより、該投光された光を前記ペンタ部材（６２）内で反射させ、その反射光を前記焦点板（６１）に照射し、その照射光の反射光を前記ペンタ部材（６２）内で再度反射させ、その反射光を前記射出面（６２Ｂ）側から射出させることにより、複数の焦点検出領域に対応するファインダ（６５）視野内での位置をスーパーインポーズ表示させる投光手段（６４）と、を備え、前記ペンタ部材（６２）は、前記焦点板（６１）から光が入射する入射部（６２Ａ）と、前記入射部（６２Ａ）から入射した光が反射される第１反射面（６２１Ｌ，６２１Ｒ）と、該第１反射面（６２１Ｌ，６２１Ｒ）によって反射された光が反射される第２反射面（６２３）と、前記第１反射面（６２１Ｌ，６２１Ｒ）と前記第２反射面（６２３）とに隣接し且つ前記入射部（６２Ａ）及び前記射出面（６２Ｂ）と隣接しない一面（６２Ｕ）と、を有し、前記投光手段（６４）から投光された光は、前記射出面（６２Ｂ）を通って前記一面（６２Ｕ）に反射した後、前記入射部（６２Ａ）を通って前記焦点板（６１）に入射すること、を特徴とする撮像装置（１０）である。
請求項３に記載の発明は、請求項１又は２に記載の撮像装置（１０）であって、前記ペンタ部材（６２）の前記一面（６２Ｕ）は、鏡面部（６２３）と、非鏡面部（６２４）を有すること、を特徴とする撮像装置（１０）である。
請求項４に記載の発明は、請求項３に記載の撮像装置（１０）であって、前記一面（６２Ｕ）は、前記投光手段（６４）から入射した光が照射される領域に形成された鏡面部（６２３）と、該鏡面部（６２３）の周囲に形成された非鏡面部（６２４）と、を有すること、を特徴とする撮像装置（１０）である。
請求項５に記載の発明は、請求項１〜４のいずれか１項に記載の撮像装置（１０）であって、前記投光手段（６４）は複数設けられ、前記接眼光学系（６３）の光軸を挟んだ両側に配置されていること、を特徴とする撮像装置（１０）である。
【０００８】
なお、符号を付して説明した構成は、適宜改良してもよく、また、少なくとも一部を他の構成物に代替してもよい。
【発明の効果】
【０００９】
本発明によれば、ファインダ視野内で良好なスーパーインポーズ表示を得ることのできる撮像装置を提供することができる。
【図面の簡単な説明】
【００１０】
【図１】本発明における撮像装置の一実施形態であるカメラの構成を概念的に示す断面図である。
【図２】カメラの制御構成を示すブロック図である。
【図３】ファインダ部の縦断面図である。
【図４】ファインダ部を斜め背面側から見た斜視図である。
【図５】ペンタダハミラーを一部断面としてファインダ部を斜め前面側から見た斜視図である。
【図６】フォーカシングスクリーンの平面図である。
【図７】フォーカシングスクリーンにおける測距点フレーム部分の拡大断面図であって、（ａ）は本願構成における照明光とその反射経路を示す図、（ｂ）は比較例における照明光とその反射経路を示す図である。
【図８】本発明の第２実施形態であるファインダ部を斜め背面側から見た斜視図である。
【発明を実施するための形態】
【００１１】
（第１実施形態）
以下、図面等を参照して、本発明の実施形態について説明する。
図１は、本発明における撮像装置の一実施形態であるカメラ１０の構成を概念的に示す断面図である。図２は、カメラ１０の制御構成を示すブロック図である。
なお、図１および以下に示す各図には、説明と理解を容易にするために、直交座標系を設けた。この座標系では、撮影者が光軸ＯＡを水平として横長の画像を撮影する場合のカメラ１０の位置（以下、正位置という）において撮影者から見て左側に向かう方向をＸプラス方向、正位置において上側に向かう方向をＹプラス方向、正位置において被写体に向かう方向をＺプラス方向とする。また、カメラ１０における被写体側を前面側、撮影者側を背面側とも称する。
【００１２】
カメラ１０は、図１に示すように、カメラ本体１１と、撮像レンズ１２と、によって構成された一眼レフのデジタルカメラである。
撮像レンズ１２は、被写体光を結像させる光学系であって、この光学系の焦点位置を調節するためのフォーカスレンズ１２Ｌｆを含む複数のレンズ群１２Ｌを備えている。詳細には示さないが、フォーカスレンズ１２Ｌｆはカメラ本体１１が備える後述する制御部８０によってレンズ駆動回路１２Ｄ（図２に示す）を介して光軸ＯＡ方向に移動駆動され、これによって結像位置が変化して合焦調整が行われるようになっている。
【００１３】
撮像レンズ１２は、カメラ本体１１の前面側（図１における左側）に、光軸ＯＡを一致させて着脱可能に装着されるようになっている。これにより、カメラ１０は、用途に応じて焦点距離等が異なる撮像レンズ１２を交換して撮影することができるようになっている。
【００１４】
カメラ本体１１は、クイックリターンミラー部２０と、撮像部３０および表示部４０を備えている。また、カメラ本体１１は、クイックリターンミラー部２０の図中下側に配置された焦点検出部５０と、クイックリターンミラー部２０の図中上側に配置されたファインダ部６０とを備えている。さらに、カメラ本体１１は、レリーズスイッチを含む操作部７０と、制御部８０とを備えている。なお、操作部７０および制御部８０は、図２のみに示す。
【００１５】
クイックリターンミラー部２０は、メインミラー２１とサブミラー２２とを備えて構成され、撮影レンズ１２の射出側に配設されている。
メインミラー２１は、撮影レンズ１２から入射する被写体光を、その上側に位置するファインダ部６０に向けて反射させる。また、メインミラー２１は、その一部がハーフミラーとなっており、被写体光の一部を透過させる。
【００１６】
サブミラー２２は、サブミラー２２の背面側に設けられており、メインミラー２１のハーフミラー部分を透過した光を、その下側に位置する焦点検出部５０に向けて反射する。
また、クイックリターンミラー部２０は、メインミラー２１が図１中二点差線で示すように光軸ＯＡに対して略平行なミラーアッブ位置に揺動することで被写体光の光路から退避し得るようになっている。そして、撮影時には、メインミラー２１がミラーアッブ位置に揺動して被写体光の光路から退避する。このメインミラー２１のミラーアッブに伴ってサブミラー２２も揺動し、メインミラー２１に沿った退避状態となる。
【００１７】
撮像部３０は、シャッタ３１、ローパスフィルタ３２および撮像素子３３を備えている。シャッタ３１は、制御部８０によって開閉制御される。撮像素子３３は、撮影レンズ１２によって結像された光学像を電気信号に変換するＣＣＤまたはＣＭＯＳ等の光電変換素子である。また、撮像素子３３の後部には図示しないが電子基板が配置され、この電子基板に、図２に示す当該カメラ１０の全体制御を行う制御部８０および撮像回路３４等の各種回路が配置されている。
【００１８】
撮像回路３４は、撮像素子３３によって光電変換されたアナログ撮像信号をディジタル信号に変換した上で、所定の画像処理を施す。また、撮像回路３４は、画像データを所定のデータ形式にフォーマット変換する。
【００１９】
表示部４０は、カメラ本体１１の背面側に配設された液晶モニタ４１を備えている。表示部４０は、液晶モニタ４１に撮影画像や、露光時間等の撮影に関する情報等を表示する。
【００２０】
焦点検出部５０は、複数の測距点においてデフォーカス量を検出する焦点検出センサ５１を備えている。この焦点検出センサ５１には、メインミラー２１を透過してサブミラー２２によって反射された被写体光が入射する。測距点は、本実施形態では、撮像画面中の縦横それぞれ３点ずつ合計９点設定されている。
【００２１】
ファインダ部６０は、フォーカシングスクリーン６１と、ペンタダハミラー部材６２と、接眼光学系６３と、ファインダ６５と、を備えている。また、ファインダ部６０は、フォーカシングスクリーン６１における測距点フレーム６１Ｆを照明する投光装置６４を備えている。投光装置６４は、制御部８０によって制御される発光駆動回路６４Ｄ（図２に示す）によって発光駆動されるようになっている。
【００２２】
フォーカシングスクリーン６１は、焦点検出部５０における複数の測距点と対応する位置にそれぞれ測距点フレーム６１Ｆを備えている。
ペンタダハミラー部材６２は、複数の反射面を備えており、フォーカシングスクリーン６１に結像した被写体像を反射させて正立像とする。
接眼光学系６３は、ペンタダハミラー部材６２によって正立像とされた被写体像を拡大して観察可能とする。
【００２３】
ファインダ部６０は、クイックリターンミラー部２０におけるメインミラー２１によって反射されてフォーカシングスクリーン６１に結像された被写体像を、ペンタダハミラー部材６２によって正立像とし、その正立像を接眼光学系６３が拡大する。これにより、撮影者が、接眼光学系６３を介して拡大した被写体の正立像をファインダ６５より観察できる。また、フォーカシングスクリーン６１に設けられた測距点フレーム６１Ｆを投光装置６４によって照明することで光らせ（点灯させ）て、撮影時における合焦位置（合焦測距点フレーム）および合焦完了を観察画面中に被写体像と重ねて表示（いわゆるスーパーインポーズ）し、撮影者に認知させるようになっている。また、投光装置６４による測距点フレーム６１Ｆの点灯は、合焦測距点を設定する際にも行われる。
なお、このファインダ部６０の構成および作用については、後により詳細に説明する。
【００２４】
制御部８０は、ＣＰＵ等によって構成されており、カメラ１０の各機能要素を統括的に制御する。制御部８０は、撮影時において、カメラ１０の各要素を下記のように制御して撮影作用を行う。
すなわち、操作者によって操作部７０のレリーズボタンが半押しされると、操作部７０を介して予め設定された測距点と、焦点検出部５０から入力された測距情報とに基づいて、レンズ駆動回路１２Ｄを介して撮像レンズ１２のフォーカスレンズ１２Ｌｆを制御駆動して、該当する測距点において合焦状態とする。ここで、ファインダ部６０における投光装置６４（発光駆動回路６４Ｄ）を駆動して、フォーカシングスクリーン６１における合焦した測距点と対応する測距点フレーム６１Ｆを照明する。
【００２５】
レリーズボタンが全押しされると、クイックリターンミラー部２０におけるメインミラー２１を被写体光路外に退避させると共に、撮像部３０におけるシャッタ３１を所定時間開放し、撮像素子３３を被写体光に露光させる。撮像素子３３は、その撮像面に結像した被写体光像を電気信号に変換する。撮像回路３４は、撮像素子３３によって光電変換されたアナログ撮像信号をディジタル信号に変換した上で、所定の画像処理を施す。また、撮像回路３４は、画像処理後の画像データから映像信号を生成して表示部４０へ送出する。さらに、撮像回路３４は、画像データを所定のデータ形式にフォーマット変換する。その画像データは図示しない記録部に記録され、これによって撮影が行われる。
【００２６】
つぎに、ファインダ部６０について、前述の図１に加え図３〜図７を参照して詳細に説明する。
図３は、ファインダ部６０の縦断面図である。図４は、ファインダ部６０を斜め背面側から見た斜視図である。図５は、ペンタダハミラー部材６２を一部断面としてファインダ部６０を斜め前面側から見た斜視図である。図６は、フォーカシングスクリーン６１の平面図である。図７は、フォーカシングスクリーン６１における測距点フレーム６１Ｆ部分の拡大断面図であって、（ａ）は本願構成における照明光とその反射経路を示す図、（ｂ）は比較例における照明光とその反射経路を示す図である。
【００２７】
ファインダ部６０は、前述したように、フォーカシングスクリーン６１と、ペンタダハミラー部材６２と、接眼光学系６３と、投光装置６４と、ファインダ６５と、を備えている。
フォーカシングスクリーン６１は、所定厚さで矩形の板状に透光性のプラスチック等によって形成されており、図３中上側の面（ペンタダハミラー部材６２と対向する面）が結像する上面６１Ｍとなっている。フォーカシングスクリーン６１の図３中下側の面は、被写体光が入射する入射面６１Ａとなっている。入射面６１Ａには、周辺減光を軽減する同芯状のフレネルレンズが形成されている。また、入射面６１Ａには、焦点検出部５０における複数の測距点と対応する位置に、それぞれ測距点フレーム６１Ｆが形成されている。本実施形態では、測距点フレーム６１Ｆは、図６に示すように、縦横それぞれ３箇所の合計９箇所に配設されている。
【００２８】
測距点フレーム６１Ｆは、図６に示すように、所定幅の線によって形成されたコ字状の図形とその裏返しの逆コ字状の図形とが、所定間隔を有して対向した形状を呈している。
測距点フレーム６１Ｆを形成する線は、図７（ａ）に拡大断面図を示すように、多数の微少な三角形のマイクロプリズム６１Ｐによって形成されている、マイクロプリズム６１Ｐは、上方斜め前方側から所定角度に入射する光を、反射させて上面６１Ｍと直交する上方側に出射させるように形成されている。
【００２９】
ペンタダハミラー部材６２は、複数の所定厚さの板が断面形状五角形の箱状に組み合わされ、その内面の所定部位（面）を鏡面として構成されている。ペンタダハミラー部材６２は、天面部６２Ｓと、前面板６２Ｆと、前部天面板６２Ｕと、左右の側板６２Ｌ，６２Ｒと、背面板６２Ｂと、から形成されている。
【００３０】
天面部６２は、２枚の板部材で形成され、その２枚の板部材は、光軸ＯＡ方向に沿って延びる中央の稜線を挟んで左右に所定勾配で配置され、中央の稜線は前面側が上側になる所定の勾配に設定されている。天面部６２の内面はミラー状になっており、ミラー６２１Ｌ，６２１Ｒから構成されるダハミラー６２１が形成されている。
【００３１】
前面板６２Ｆは、天面部６２の前面側下側に位置し、上側が前方となるようにして所定角度で傾斜させた状態に設定されている。前面板６２Ｆの内面もミラー状に加工され、出射ミラー６２２が形成されている。
【００３２】
前部天面板６２Ｕは、前面板６２Ｆの上側に位置し、上側が後方となる側に所定角度で傾斜させた状態に設定されている。前部天面板６２Ｕの内面の所定位置には、投光照明ミラー６２３が形成されている。
【００３３】
ここで、前面板６２Ｆの内面に形成された出射ミラー６２２は、後述するように、投光装置６４からフォーカシングスクリーン６１に形成された個々の測距点を照射する照明光を反射させるものであるため、広い面積は必要としない。このため、図３に示すように、出射ミラー６２２は、前面板６２Ｆの内面の限られた必要な領域のみに、且つ、周囲から所定の深さに落ち込んだ状態に形成されている。さらに、出射ミラー６２２の形成域以外の前面板６２Ｆの内面領域６２４には、凹凸の反射防止処理が施されている。これにより、投光装置６４からの投光された光による迷光の発生を防ぐようになっている。
【００３４】
ペンタダハミラー部材６２の、フォーカシングスクリーン６１と対向する下側は、ペンタダハミラー部材６２と対応する形状で開放した入射開口部６２Ａとなっている。
左右の側板６２Ｌ，６２Ｒは、それぞれ平板状で、天面部６２Ｓの左右の側端から略鉛直に形成され、下縁が入射開口部６２Ａの縁を形成している。
背面板６２Ｂは、平板状で、天面部の背面側の縁から略鉛直に形成されている。背面板６２Ｂの中央下部には、出射口６２Ｃが開口形成されている。
【００３５】
上記のように構成されたペンタダハミラー部材６２は、フォーカシングスクリーン６１に結像した被写体像を、左右のダハミラー６２１Ｌ，６２１Ｒが互いに反射させることで左右を反転させると共に出射ミラー６２２に向けて反射する。さらに、出射ミラー６２２は、ダハミラー６２１Ｌ，６２１Ｒからの被写体像を反射させて上下左右が現実と合致する正立像として、出射口６２Ｃから出射する。
【００３６】
接眼光学系６３は、前述したように、ペンタダハミラー部材６２によって正立像とされた被写体像を拡大観察するための拡大光学系である。接眼光学系６３は、ペンタダハミラー部材６２における出射口６２Ｃの背面側（撮影者側）に、その光軸を光軸ＯＡと平行として配設されている。
【００３７】
投光装置６４は、光源６４Ａと、投光光学系６４Ｂとにより構成されている。投光装置６４は、ペンタダハミラー部材６２における出射口６２Ｃの背面側の、接眼光学系６３の側方（正面側から見て右横）に配設されている。
光源６４Ａは、測距点と対応する数のＬＥＤを備えている。
【００３８】
投光光学系６４Ｂは、図４に示すように、ペンタダハミラー部材６２における背面板６２Ｂの、出射口６２Ｃの側方に隣接して開口形成された入射孔６２Ｄに対向して配設されている。そして、投光光学系６４Ｂは、光源６４Ａにおける個々のＬＥＤが発した光を、入射孔６２Ｄから投光照明ミラー６２３に向けて、ペンタダハミラー部材６２に入射させる。
【００３９】
投光光学系６４Ｂから出射した光は、図５中にその光路を破線で示すように、投光照明ミラー６２３によってフォーカシングスクリーン６１に各測距点と対応して形成された個々の測距点フレーム６１Ｆに向けて反射され、各測距点フレーム６１Ｆを照明する。つまり、換言すると、投光装置６４（投光光学系６４Ｂ）と、ペンタダハミラー部材６２における投光照明ミラー６２３とは、投光装置６４の光源６４Ａにおける個々のＬＥＤが発した光が、それぞれフォーカシングスクリーン６１に形成された測距点フレーム６１Ｆを照射するように設定されている。
【００４０】
このような、投光光学系６４Ｂからフォーカシングスクリーン６１における測距点フレーム６１Ｆに至る照明光の光路構成により、図７（ａ）中に光路を矢印で示すように、測距点フレーム６１Ｆは、フォーカシングスクリーン６１（上面６１Ｍ）に対して斜め前方側から入射する照明光によって照明されるようになっている。
ここで、測距点フレーム６１Ｆを形成するマイクロプリズム６１Ｐは、投光照明ミラー６２３で反射して斜め前方側から所定角度で入射する光を、反射屈折させて上面６１Ｍと直交する方向に出射させるように設定されている。
【００４１】
これにより、投光装置６４からの光で照明された測距点フレーム６１Ｆ（マイクロプリズム６１Ｐ）が反射した照明光は、フォーカシングスクリーン６１（上面６１Ｍ）に結像した被写体像と同じ光路で、ペンタダハミラー部材６２および接眼光学系６３を介して撮影者に観察されるようになっている。従って、撮影者は、投光装置６４からの照明光で照明された測距点フレーム６１Ｆが反射した光を、フォーカシングスクリーン６１（上面６１Ｍ）に結像した被写体像と共にファインダ６５の視野内において視認することができる。
【００４２】
すなわち、上記構成のファインダ部６０では、接眼光学系６３の側部に設けられた投光装置６４から投光された光が、ペンタダハミラー部材６２における投光照明ミラー６２３に１回反射されて、フォーカシングスクリーン６１における測距点フレーム６１Ｆを斜め前方側から照明する。照明光は、測距点フレーム６１Ｆを形成するマイクロプリズム６１Ｐで上面６１Ｍと直交する方向に反射されて、ファインダ６５においてフォーカシングスクリーン６１（上面６１Ｍ）に結像した被写体像と共に視認可能となる。
【００４３】
以上、本第１実施形態によると、以下の効果を有する。
（１）フォーカシングスクリーン６１に形成された測距点フレーム６１Ｆを照明する照明光を投光する投光装置６４は、ファインダ部６０における接眼光学系６３の側部に配置されている。これにより、投光装置６４を他の構成要素と干渉することなく合理的に配置できる。その結果、カメラ１０を小型化することが可能となる。
【００４４】
（２）投光装置６４からの照明光は、ペンタダハミラー部材６２における投光照明ミラー６２３に１回反射するのみで測距点フレーム６１Ｆを照明する光路構成であるため、光路長を短くして散光を抑えることができ、照明光の輝度の低下を抑制することができる。
【００４５】
（３）投光装置６４からの照明光は、ペンタダハミラー部材６２における投光照明ミラー６２３に反射されて、フォーカシングスクリーン６１（上面６１Ｍ）に対して斜め前方側から測距点フレーム６１Ｆを照明する。このため、照明光は比較的浅い角度（上面６１Ｍと平行に近い角度）でフォーカシングスクリーン６１に入射する。従って、照明光の上面６１Ｍによる反射光は、図７（ａ）中に二点鎖線で示すようになり、そのマイクロプリズム６１Ｐによって反射されて上面６１Ｍと直交する方向に出射する照明光に対する角度θは大きくなる。その結果、上面６１Ｍからの反射光の光路は上面６１Ｍと直交する方向に出射する照明光とは大きくずれる。このため、ファインダ６５から観察したときに上面６１Ｍからの反射光が測距点フレーム６１Ｆの周囲ににじんで見えるようなことがない。つまり、図７（ｂ）に示すように、照明光が深い角度（上面６１Ｍと直角に近い角度）でフォーカシングスクリーン６１に入射する構成では、上面６１Ｍからの反射光が上面６１Ｍと略直交する方向に出射することとなり、この反射光が測距点フレーム６１Ｆの周囲ににじんで（２重に）見えてしまう可能性があるが、本構成ではこのようなことはない。なお、図７（ｂ）中における構成要素には、（ａ）と同符号にダッシュ（′）を付した符号を付した。
【００４６】
（第２実施形態）
つぎに、図８を参照して本発明における第２実施形態を説明する。
図８は、本発明の第２実施形態であるファインダ部６００を斜め背面側から見た斜視図である。
第２実施形態は、接眼光学系６３の両脇にそれぞれ投光装置を備える（すなわち２組の投光装置６４Ｌ，６４Ｒを備える）以外、全体構成を含めて前述した第１実施形態と全く同様である。このため、同一の構成要素については、同符号を付して説明は省略する。
【００４７】
ファインダ部６００は、ペンタダハミラー部材６２から図示しない接眼光学系に被写体光が出射する出射口６２Ｃの両脇に、それぞれ投光装置６４Ｌ，６４Ｒが配設されている。投光装置６４Ｒは、前述した投光装置６４と全く同様の構成および配置となっている。
【００４８】
すなわち、投光装置６４Ｒは、その投光光学系６４Ｂが、ペンタダハミラー部材６２における背面板６２Ｂの、出射口６２Ｃの前面側から見て右側に隣接して開口形成された入射孔６２ＤＲに対向して配設されている。そして、投光光学系６４Ｂは、光源６４Ａにおける個々のＬＥＤが発光した光を、入射孔６２ＤＲから図示しない投光照明ミラーに向けて、ペンタダハミラー部材６２の内部に入射させるようになっている。
【００４９】
一方、投光装置６４Ｌは、構成は投光装置６４Ｒと全く同様の構成で、図示しない接眼光学系の光軸を挟んで対称に配設されている。すなわち、投光装置６４Ｌは、その投光光学系６４Ｂが、ペンタダハミラー部材６２における背面板６２Ｂの、出射口６２Ｃの前面側から見て左側に隣接して開口形成された入射孔６２ＤＬに対向して配設されている。そして、投光光学系６４Ｂは、光源６４Ａにおける個々のＬＥＤが発光した光を、入射孔６２ＤＬから図示しない投光照明ミラーに向けて、ペンタダハミラー部材６２の内部に入射させるようになっている。
【００５０】
上記のように構成されたファインダ部６００は、前述した第１実施形態における構成に比較してより多くの測距点フレームを照明することができる。または、測距点フレームを明るく証明することができる。さらに、左右の投光装置６４Ｌ，６４Ｒで異なる発光色とすることができる。これによって、より多くの表示を行うことが可能となる。
【００５１】
以上、第２実施形態によると、前述した第１実施形態における効果にさらに加えて、以下の効果を有する。
（１）２組の投光装置６４Ｌ，６４Ｒを備えるため、同一構成の１組の投光装置を備える場合に比較して、２倍の照明が可能となる。つまり、より多くの測距点フレームを照明することが可能となる。
（２）また、同一の測距点フレームを２組の投光装置６４Ｌ，６４Ｒからそれぞれ独立して照明することで、測距点フレームの輝度を高くすることができると共に、輝度を２段階に変化させることも可能となり、多くの表示機能を持たせることができる。
（３）さらに、左右の投光装置６４Ｌ，６４Ｒで異なる発光色とすることで、表示機能を増加させることができる。
【００５２】
（変形形態）
以上、説明した実施形態に限定されることなく、以下に示すような種々の変形や変更が可能であり、それらも本発明の範囲内である。
【００５３】
（１）本実施形態は、被写体像を正立像とするための光学要素として、ペンタダハミラー部材６２を用いたものである。しかし、ペンタダハミラーに限らず、光学ガラスによって中実に形成されたペンタダハプリズムを用いたものに適用してよい。
【００５４】
（２）本実施形態では、投光装置６４，６４Ｌ，６４Ｒは、光源６４Ａと投光光学系６４Ｂとが直列に配設されている。しかし、本発明の要旨は、フォーカシングスクリーン６１における測距点フレーム６１Ｆを照明する照明光を、ファインダ部６０における接眼光学系６３の側部からペンタダハ光学素子（ペンタダハミラー部材６２）に入射させるものであり、光源６４Ａと投光光学系６４Ｂの配置構成はこの構成に限るものではない。たとえば、プリズムやミラー等の光学素子を用いて光路を屈曲させた後、ファインダ部６０における接眼光学系６３の側部からペンタダハ光学要素（ペンタダハミラー部材６２）に入射させるように構成してもよい。
【００５５】
なお、実施形態及び変形形態は、適宜組み合わせて用いることもできるが、詳細な説明は省略する。また、本発明は以上説明した実施形態によって限定されることはない。
【符号の説明】
【００５６】
１０：カメラ、６０：ファインダ部、６１：フォーカシングスクリーン、６２：ペンタダハミラー部材、６２Ａ：入射開口部、６２Ｃ：出射口、６２１（６２１Ｌ，６２１Ｒ）：ダハミラー、６２２：出射ミラー、６２３：投光照明ミラー、６３：接眼光学系、６４：投光装置
【図１】
2012141339.tif 000003
【図２】
2012141339.tif 000004
【図３】
2012141339.tif 000005
【図４】
2012141339.tif 000006
【図５】
2012141339.tif 000007
【図６】
2012141339.tif 000008
【図７】
2012141339.tif 000009
【図８】
2012141339.tif 000010